(57)【要約】中心導体接続部（１４ｂ）と内部接触部（１４ａ）とを有する内部端子（１４）と、外部導体接続部（１６ａ）と外部接触部（１６ｂ）とを有する外部端子（１６）と、中心導体保持部（１２ｂ）と内部保持部（１２ａ）とを有する絶縁性部材（１２）とを備えるＬ型同軸コネクタ（１０）における絶縁性部材（１２）の位置決め構造であって、内部保持部の外面部（１２ｊ）と外部接触部の内面部（１６ｊ）との間には、内部接触部の軸方向と直交する２つの直交方向における内部保持部の位置決めを行う位置決め部（１７）が設けられているとともに、外部端子は、外部接触部の反対側において、内部接触部を中心とする中心導体保持部の回動を規制する回動規制部（１６ｄ）を備える。
2020129559.tif 000002
【特許請求の範囲】
【請求項１】
同軸ケーブルの中心導体と電気的に接続される中心導体接続部と、同軸ケーブルの延在方向と直交する軸方向に延在する内部接触部とを有する内部端子と、
前記同軸ケーブルの外部導体と電気的に接続される外部導体接続部と、前記軸方向に延在するとともに前記内部接触部を囲繞する外部接触部とを有する外部端子と、
前記中心導体接続部を保持する中心導体保持部と、前記内部接触部を保持するとともに前記外部接触部で囲繞される内部保持部とを有して、前記内部端子および前記外部端子の間に配置される絶縁性部材とを備えるＬ型同軸コネクタにおける絶縁性部材の位置決め構造であって、
前記内部保持部の外面部と前記外部接触部の内面部との間には、前記内部接触部の前記軸方向と直交する２つの直交方向における前記内部保持部の位置決めを行う位置決め部が設けられているとともに、
前記外部端子は、前記外部接触部の反対側において、前記内部接触部を中心とする前記中心導体保持部の回動を規制する回動規制部を備える、Ｌ型同軸コネクタにおける絶縁性部材の位置決め構造。
【請求項２】
前記位置決め部が、前記内部保持部の前記外面部に向けて突出するとともに前記内部保持部の前記外面部に当接するように、前記外部接触部の前記内面部に設けられている、請求項１に記載のＬ型同軸コネクタにおける絶縁性部材の位置決め構造。
【請求項３】
前記位置決め部が、前記軸方向から見て、前記中心導体接続部と前記内部接触部とを結ぶ仮想中心線に対して略線対称に配置されている、請求項１または請求項２に記載のＬ型同軸コネクタにおける絶縁性部材の位置決め構造。
【請求項４】
前記位置決め部が、周方向に均等に配置されている、請求項１から請求項３のいずれか１項に記載のＬ型同軸コネクタにおける絶縁性部材の位置決め構造。
【請求項５】
前記外部端子が、前記外部接触部と前記回動規制部との間において、前記中心導体保持部の抜けを防止する抜け止め部を有する、請求項１から請求項４のいずれか１項に記載のＬ型同軸コネクタにおける絶縁性部材の位置決め構造。
【請求項６】
前記内部端子が、インサート成形によって、前記絶縁性部材と一体化されている、請求項１から請求項５のいずれか１項に記載のＬ型同軸コネクタにおける絶縁性部材の位置決め構造。
【請求項７】
前記内部保持部が、前記外部接触部に対して、前記軸方向に装着可能に構成されている、請求項１から請求項６のいずれか１項に記載のＬ型同軸コネクタにおける絶縁性部材の位置決め構造。
【発明の詳細な説明】
【技術分野】
【０００１】
本開示は、Ｌ型同軸コネクタにおける絶縁性部材の位置決め構造に関する。
【背景技術】
【０００２】
例えば、特許文献１のＬ型同軸コネクタは、同軸ケーブルの中心導体に接続される内部端子（ソケット）と、同軸ケーブルの外部導体に接続される外部端子（ハウジング）と、内部端子および外部端子の間に配置される絶縁性部材（ブッシング）とを備える。【０００３】
特許文献１のＬ型同軸コネクタでは、絶縁性部材を外部端子に取り付ける際、絶縁性部材における円形の背面部が、外部端子の円筒部の開口を通過するように構成されている。そのため、背面部の外径が、円筒部の内径よりも小さいように寸法構成されている。また、背面部の外面部に設けられて径方向外側に突出するブッシングの部が、抜け止めとして、円筒部の内面部に設けられた凸部に係合される。
【先行技術文献】
【特許文献】
【０００４】
【特許文献１】特開２０１０−８０２６２号公報
【発明の概要】
【発明が解決しようとする課題】
【０００５】
特許文献１のＬ型同軸コネクタでは、背面部の外径が、円筒部の内径よりも小さいので、背面部の外面部と円筒部の内面部との間には、Ｘ軸方向およびＹ軸方向での隙間が存在する。そのため、背面部の外面部が、円筒部の内面部に接することがない。そして、特許文献１のＬ型同軸コネクタは、Ｘ軸方向およびＹ軸方向において、絶縁性部材の背面部を外部端子の円筒部に対してどのようにして位置決めするかについて開示していない。すなわち、絶縁性部材の背面部（内部端子の内部接触部）を外部端子の円筒部とどのようにして同軸に配置するかについて開示していない。【０００６】
そこで、本開示の課題は、絶縁性部材を外部端子に対して正確に位置決めできる、Ｌ型同軸コネクタにおける絶縁性部材の位置決め構造を提供することである。
【課題を解決するための手段】
【０００７】
上記課題を解決するため、本開示の一態様に係るＬ型同軸コネクタにおける絶縁性部材の位置決め構造は、
同軸ケーブルの中心導体と電気的に接続される中心導体接続部と、同軸ケーブルの延在方向と直交する軸方向に延在する内部接触部とを有する内部端子と、
前記同軸ケーブルの外部導体と電気的に接続される外部導体接続部と、前記軸方向に延在するとともに前記内部接触部を囲繞する外部接触部とを有する外部端子と、
前記中心導体接続部を保持する中心導体保持部と、前記内部接触部を保持するとともに前記外部接触部で囲繞される内部保持部とを有して、前記内部端子および前記外部端子の間に配置される絶縁性部材とを備えるＬ型同軸コネクタにおける絶縁性部材の位置決め構造であって、
前記内部保持部の外面部と前記外部接触部の内面部との間には、前記内部接触部の前記軸方向と直交する２つの直交方向における前記内部保持部の位置決めを行う位置決め部が設けられているとともに、
前記外部端子は、前記外部接触部の反対側において、前記内部接触部を中心とする前記中心導体保持部の回動を規制する回動規制部を備える。
【発明の効果】
【０００８】
本開示によれば、位置決め部が、内部接触部の軸方向と直交する２つの直交方向における内部保持部の位置決めを行うとともに、回動規制部が、内部接触部を中心とする中心導体保持部の回動を規制する。したがって、絶縁性部材を外部端子に対して正確に位置決めできる。
【図面の簡単な説明】
【０００９】
【図１】一実施形態に係るＬ型同軸コネクタの平面図である。
【図２】図１に示したＬ型同軸コネクタの斜視図である。
【図３】図１のＩＩＩ−ＩＩＩ線に沿った断面図である。
【図４】図１のＬ型同軸コネクタに相手方コネクタを嵌合させた同軸コネクタセットの平面図である。
【図５】図４のＶ−Ｖ線に沿った断面図である。
【図６】図４の同軸コネクタセットの底面図である。
【図７】図６のＶＩＩ−ＶＩＩ線に沿った断面図である。
【図８】変形例に係るＬ型同軸コネクタの平面図である。
【図９】図８のＬ型同軸コネクタに相手方コネクタを嵌合させた同軸コネクタセットの底面図である。
【図１０】図９のＸ−Ｘ線に沿った断面図である。
【発明を実施するための形態】
【００１０】
以下、図面を参照しながら、本開示に係るＬ型同軸コネクタ１０の実施の形態を説明する。なお、各図には、説明の便宜上、互いに直交するＸ軸、Ｙ軸およびＺ軸を示している。
【００１１】
〔同軸コネクタセット〕
図４は、Ｌ型同軸コネクタ１０を相手方コネクタ２０と嵌合させた同軸コネクタセット３０の平面図である。図５は、図４のＶ−Ｖ線に沿った断面図である。
【００１２】
図４および図５に示すように、同軸コネクタセット３０は、Ｌ型同軸コネクタ１０と、Ｌ型同軸コネクタ１０に対して挿抜方向（Ｚ軸方向）に挿抜可能に嵌合する相手方コネクタ２０とを備える。図５の同軸コネクタセット３０は、相手方コネクタ２０をＬ型同軸コネクタ１０に対向させた状態で相手方コネクタ２０をＬ型同軸コネクタ１０に向けて挿抜方向（Ｚ軸方向）に移動させることによって、Ｌ型同軸コネクタ１０および相手方コネクタ２０が互いに嵌合した状態を示している。Ｌ型同軸コネクタ１０が同軸ケーブル４０に接続されるのに対して、相手方コネクタ２０は図示しない回路基板に実装される。
【００１３】
〔Ｌ型同軸コネクタ〕
図１は、図４および図５に示した同軸コネクタセット３０を構成するＬ型同軸コネクタ１０の平面図である。図２は、図１に示したＬ型同軸コネクタ１０の斜視図である。図３は、図１のＩＩＩ−ＩＩＩ線に沿った断面図である。
【００１４】
図１から図３に示すように、Ｌ型同軸コネクタ１０は、絶縁性部材（ブッシング）１２と、内部端子（センターソケット）１４と、外部端子（ハウジング）１６とを有する。Ｌ型同軸コネクタ１０は、電気的接続に係る構成要素について、軸方向（Ｚ軸方向）から見て、後述する中心導体接続部１４ｂと内部接触部１４ａとを結ぶ仮想中心線Ｏに対して大略対称性を有するように構成されている。
【００１５】
内部端子１４は、同軸ケーブル４０の中心導体４２に接続される端子である。内部端子１４は、絶縁性部材１２によって、外部端子１６と電気的に絶縁されている。
【００１６】
内部端子１４は、導電性を有する部材で構成されている。内部端子１４は、例えば、銅合金素材のような１枚の金属板から作製されて、その表面にニッケルおよび金のメッキが施されている。内部端子１４は、インサート成形によって、絶縁性部材１２と一体化されている。当該構成によれば、絶縁性部材１２と内部端子１４との間の位置決めを、正確に行うことができる。
【００１７】
内部端子１４は、内部接触部１４ａと、中心導体接続部１４ｂとを備える。図３に示すように、内部端子１４は、断面視でＬ字状に屈曲している。
【００１８】
内部接触部１４ａは、同軸ケーブル４０の延在方向と直交する軸方向にすなわち挿抜方向（Ｚ軸方向）に延在する。内部接触部１４ａは、周方向に部分的に切り欠かれた大略円筒状をしている。
【００１９】
内部接触部１４ａは、相手方コネクタ２０の相手方内部端子２４の相手方内部接触部２４ａと電気的に接触する。図２および図３に示した内部接触部１４ａは、内周部に接触面を有するメス型（ソケット型）として構成される。他方、相手方コネクタ２０の相手方内部接触部２４ａは、外周部に接触面を有するオス型（ピン型）として構成される。
【００２０】
中心導体接続部１４ｂは、同軸ケーブル４０の延在方向に、すなわち挿抜方向と直交する横方向（Ｘ軸方向）に延在する。中心導体接続部１４ｂは、内部接触部１４ａから横方向に延びる板状の端子部分である。中心導体接続部１４ｂは、図１から図３に示す組立後の状態において、同軸ケーブル４０の中心導体４２と電気的に接続される。中心導体接続部１４ｂの同軸ケーブル４０側の端部には、二股に分かれた二股部１４ｓが形成されている。二股部１４ｓと中心導体４２とが、半田付けによって、固定され且つ電気的に接続される。
【００２１】
外部端子１６は、同軸ケーブル４０の外部導体４１に接続される端子である。外部端子１６は、導電性を有する部材で構成されている。外部端子１６は、例えば、銅合金素材のような１枚の金属板から作製されて、その表面にニッケルおよび金のメッキが施されている。
【００２２】
外部端子１６は、外部導体接続部１６ａと、外部接触部１６ｂと、かしめ係合部１６ｃと、回動規制部１６ｄと、抜け止め部１６ｅとを備える。
【００２３】
外部導体接続部１６ａは、外部接触部１６ｂから横方向（Ｘ軸方向）に延びて、板状をしている。外部導体接続部１６ａは、図１から図３に示す組立後の状態において、絶縁性部材１２および同軸ケーブル４０に沿うように位置して、絶縁性部材１２および同軸ケーブル４０を保持する。外部導体接続部１６ａには、外部接触部１６ｂと、かしめ係合部１６ｃと、回動規制部１６ｄと、抜け止め部１６ｅとが形成されている。
【００２４】
外部接触部１６ｂは、円筒状をしており、相手方コネクタ２０の相手方外部端子２６に嵌合する。外部接触部１６ｂは、軸方向にすなわち挿抜方向（Ｚ軸方向）に延在する。軸方向すなわち挿抜方向（Ｚ軸方向）から見て、外部接触部１６ｂは、同軸ケーブル４０の側に、開口部を有する。絶縁性部材１２の内部保持部１２ａが、外部接触部１６ｂの開口部を通じて、外部接触部１６ｂ内に挿入されて装着される。当該構成によれば、軸方向に延びる複数のスリットによって複数のバネ片が外部端子の筒状部に形成される場合よりも、外部接触部１６ｂの変形が起こりにくいため、安定した嵌合が得られる。図１から図３に示す組立後の状態において、外部接触部１６ｂの内側には、内部端子１４の内部接触部１４ａが位置する。このとき、外部接触部１６ｂは、内部接触部１４ａと同軸になるように位置決めされる。
【００２５】
外部接触部１６ｂは、周方向のうち同軸ケーブル４０の側が円弧状に切り欠かれた切欠部を有する大略円筒状をしている。当該切欠部を通じて、絶縁性部材１２の中心導体保持部１２ｂが挿入されて装着される。
【００２６】
かしめ係合部１６ｃは、外部導体接続部１６ａから軸方向にすなわち挿抜方向（Ｚ軸方向）に延びている。かしめ係合部１６ｃは、幅方向（Ｙ軸方向）に対向するように形成された一対の板状部材により構成されている。かしめ係合部１６ｃは、仮想中心線Ｏに向けて折り曲げてかしめることにより、同軸ケーブル４０の外部導体４１と接触する。これにより、外部端子１６と外部導体４１とが電気的に接続されるとともに、同軸ケーブル４０が外部端子１６に保持・固定される。
【００２７】
抜け止め部１６ｅは、外部接触部１６ｂから同軸ケーブル４０の側に延びる側方延在部１６ｇに設けられている。抜け止め部１６ｅは、側方延在部１６ｇから軸方向にすなわち挿抜方向（Ｚ軸方向）に延びている。抜け止め部１６ｅは、幅方向（Ｙ軸方向）に対向するように形成された一対の板状部材により構成されている。抜け止め部１６ｅを仮想中心線Ｏに向けて折り曲げてかしることにより、抜け止め部１６ｅの先端部が中心導体保持部１２ｂの抜け止め凹部１２ｅと係合する。当該構成によれば、抜け止め部１６ｅによって、絶縁性部材１２の中心導体保持部１２ｂが、軸方向にすなわち挿抜方向（Ｚ軸方向）に抜けることが防止され、絶縁性部材１２が外部端子１６に保持・固定される。
【００２８】
回動規制部１６ｄは、外部端子１６における外部接触部１６ｂの反対側に位置する側方延在部１６ｇに設けられて、中心導体保持部１２ｂの側部に当接するように構成されている。回動規制部１６ｄは、抜け止め部１６ｅよりも同軸ケーブル４０の側に位置する。抜け止め部１６ｅは、外部接触部１６ｂと回動規制部１６ｄとの間に位置する。当該構成によれば、回動規制部１６ｄは、内部接触部１４ａを中心とする中心導体保持部１２ｂの回動を規制できる。好ましくは、回動規制部１６ｄは、できるだけ同軸ケーブル４０の側に位置し、内部接触部１４ａからより遠方に離れたところに位置する。
【００２９】
側方延在部１６ｇの端部は、幅方向（Ｙ軸方向）の外方に広がるように延びていて、かしめ係合部１６ｃの内面に当接する。すなわち、側方延在部１６ｇの端部は、軸方向すなわち挿抜方向（Ｚ軸方向）から見て、中心導体接続部１４ｂの二股部１４ｓに沿って、幅方向（Ｙ軸方向）の外方に広がるように延びている。当該構成によれば、幅方向（Ｙ軸方向）での二股部１４ｓと側方延在部１６ｇの端部との間の距離を大略等しく保つことができ、それらの間での電界や容量結合が不均一になることが防止されるので、高周波帯（例えば、メガヘルツ帯やギガヘルツ帯）での不要反射を低減できる。
【００３０】
絶縁性部材１２は、内部端子１４と外部端子１６との間に配置される。絶縁性部材１２は、電気絶縁性の樹脂（例えば、液晶ポリマーなど）からなり、内部端子１４と外部端子１６とを互いに電気的に絶縁する。
【００３１】
絶縁性部材１２は、内部保持部１２ａと、中心導体保持部１２ｂとを備える。
【００３２】
内部保持部１２ａは、軸方向すなわち挿抜方向（Ｚ軸方向）から見て、略円形をしている。内部保持部１２ａは、外部接触部１６ｂの開口部を通じて、軸方向すなわち挿抜方向（Ｚ軸方向）に、外部接触部１６ｂの内側に装着可能に寸法構成されている。内部保持部１２ａでは、内部端子１４の内部接触部１４ａが、軸方向すなわち挿抜方向（Ｚ軸方向）に膨出している。内部接触部１４ａは、内部保持部１２ａと同軸になるように、内部保持部１２ａと一体化されている。例えば、インサート成形によって、内部接触部１４ａが内部保持部１２ａと一体化され、中心導体接続部１４ｂの一部が、内部保持部１２ａと一体化されている。当該構成によれば、絶縁性部材１２と内部端子１４との間の位置決めを、正確に行うことができる。
【００３３】
中心導体保持部１２ｂは、内部保持部１２ａから同軸ケーブル４０の側に延びている。中心導体保持部１２ｂは、軸方向すなわち挿抜方向（Ｚ軸方向）から見て、略矩形をしている。中心導体接続部１４ｂの残部が、中心導体保持部１２ｂに埋設されているとともに、中心導体保持部１２ｂから露出している。露出している中心導体接続部１４ｂの端部は、上述した二股部１４ｓとして、中心導体４２と電気的に接続される。中心導体保持部１２ｂの幅方向（Ｙ軸方向）の上面部には、一対の抜け止め凹部１２ｅが形成されている。
【００３４】
〔相手方コネクタ〕
図４および図５に示すように、相手方コネクタ２０は、相手方内部端子（センターピン）２４と、相手方外部端子２６と、相手方内部端子２４と相手方外部端子２６との間に配置される相手方絶縁性部材（樹脂モールドケース）２２とを備える。
【００３５】
相手方内部端子２４は、図示しない回路基板の信号用ランド部に接続される端子である。相手方内部端子２４は、相手方絶縁性部材２２によって、相手方外部端子２６と電気的に絶縁されている。
【００３６】
相手方内部端子２４は、導電性を有する部材で構成されている。相手方内部端子２４は、例えば、銅合金素材のような１枚の金属板から作製されて、その表面にニッケルおよび金のメッキが施されている。相手方内部端子２４は、インサート成形によって、相手方絶縁性部材２２と一体化されている。当該構成によれば、相手方絶縁性部材２２と相手方内部端子２４との間の位置決めを、正確に行うことができる。
【００３７】
相手方内部端子２４は、相手方内部接触部２４ａと、相手方内部実装部２４ｂとを備える。図５に示すように、相手方内部端子２４は、断面視でＬ字状に屈曲している。
【００３８】
相手方内部接触部２４ａは、軸方向すなわち挿抜方向（Ｚ軸方向）に延在する。相手方内部接触部２４ａは、略円筒状をしている。相手方内部接触部２４ａは、Ｌ型同軸コネクタ１０の内部端子１４の内部接触部１４ａと接触して電気的に接続される。図４および図５に示した相手方内部接触部２４ａは、外周部に接触面を有するオス型（ピン型）として構成される。相手方内部実装部２４ｂは、はんだなどの導電部材によって、図示しない回路基板の信号用ランド部と電気的に接続される。
【００３９】
相手方外部端子２６は、図示しない回路基板の接地用ランド部に接続される端子である。相手方外部端子２６は、導電性を有する部材で構成されている。相手方外部端子２６は、例えば、銅合金素材のような１枚の金属板から作製されて、その表面にニッケルおよび金のメッキが施されている。相手方外部端子２６は、インサート成形によって、相手方絶縁性部材２２と一体化されている。当該構成によれば、相手方絶縁性部材２２と相手方外部端子２６との間の位置決めを、正確に行うことができる。
【００４０】
相手方外部端子２６は、相手方外部実装部２６ａと、相手方外部接触部２６ｂとを備える。相手方外部実装部２６ａは、はんだなどの導電部材によって、図示しない回路基板の接地用ランド部と電気的に接続される。
【００４１】
相手方外部接触部２６ｂは、軸方向すなわち挿抜方向（Ｚ軸方向）に延在する。相手方外部接触部２６ｂは、略円筒状をしている。相手方外部接触部２６ｂは、相手方内部接触部２４ａと同軸に配置されている。相手方外部接触部２６ｂは、Ｌ型同軸コネクタ１０の外部端子１６の外部接触部１６ｂと接触して電気的に接続される。相手方外部接触部２６ｂの外周面には、嵌合凹部２６ｈが形成されている。Ｌ型同軸コネクタ１０を相手方コネクタ２０に嵌合させるとき、相手方外部接触部２６ｂの嵌合凹部２６ｈは、外部接触部１６ｂの嵌合凸部１６ｈと嵌合する。
【００４２】
〔絶縁性部材の位置決め〕
図１から図３、図５および図７に示すように、外部端子１６の外部接触部１６ｂの内面部１６ｊには、位置決め部１７が配設されている。位置決め部１７は、内面部１６ｊから内部保持部１２ａの外面部１２ｊに向けて、すなわち径方向内側に突出する凸部（例えば、半球状）である。位置決め部１７は、外部接触部１６ｂの内縁よりも、外面部１２ｊに向けてすなわち径方向内側に突出している。位置決め部１７は、軸方向すなわち挿抜方向（Ｚ軸方向）において、嵌合凸部１６ｈと、外部導体接続部１６ａの底部との間に位置する。位置決め部１７は、内部保持部１２ａの外面部１２ｊに当接するように構成されている。当該構成によれば、凸状の位置決め部１７が補強体として機能するので、外部端子１６の外部接触部１６ｂが変形しにくくなる。
【００４３】
図１に示すように、４つの位置決め部１７が、軸方向すなわち挿抜方向（Ｚ軸方向）から見て、中心導体接続部１４ｂと内部接触部１４ａとを結ぶ仮想中心線Ｏに対して略線対称に配置されている。また、４つの位置決め部１７が、周方向に均等に配置されることもできる。当該構成によれば、位置決め部１７によって電界や容量結合が不均一になることが防止されるので、高周波帯（例えば、メガヘルツ帯やギガヘルツ帯）での不要反射を低減できる。
【００４４】
また、位置決め部１７が、３つから構成されて、軸方向すなわち挿抜方向（Ｚ軸方向）から見て、仮想中心線Ｏに対して略線対称に配置されてもよい。この場合、１つの位置決め部１７が、仮想中心線Ｏ上であり且つ中心導体接続部１４ｂの反対側に位置するとともに、他の２つの位置決め部１７が、軸方向すなわち挿抜方向（Ｚ軸方向）から見て、仮想中心線Ｏに対して略線対称に配置される。さらに、３つの位置決め部１７のうち１つの位置決め部１７が、仮想中心線Ｏ上であり且つ中心導体接続部１４ｂの反対側に位置するとともに、軸方向すなわち挿抜方向（Ｚ軸方向）から見て、３つの位置決め部１７が正三角形をなして周方向に均等に配置されることもできる。当該構成によれば、位置決め部１７によって電界や容量結合が不均一になることが防止されるので、高周波帯（例えば、メガヘルツ帯やギガヘルツ帯）での不要反射を低減できる。
【００４５】
また、位置決め部１７は、１つの円弧状の凸部が、中心導体接続部１４ｂの反対側に位置して、Ｘ軸方向およびＹ軸方向の位置決めを可能にする長さで延在する態様とすることもできる。位置決め部１７は、例えば、約４５度から約３００度の角度で円弧状に延在する態様とすることもできる。このように、位置決め部１７は、内部接触部１４ａの軸方向（Ｚ軸方向）と直交する２つの直交方向（Ｘ軸方向およびＹ軸方向）の位置決めを可能にする態様であればよい。
【００４６】
外部接触部１６ｂに配設された位置決め部１７により、内部接触部１４ａの軸方向（Ｚ軸方向）と直交する２つの直交方向（Ｘ軸方向およびＹ軸方向）における、内部保持部１２ａの位置決めを行うことができる。
【００４７】
上述したように、中心導体保持部１２ｂにおける同軸ケーブル４０の側（内部保持部１２ａの反対側）には、回動規制部１６ｄが設けられている。回動規制部１６ｄは、中心導体保持部１２ｂの側部に当接することによって、内部接触部１４ａを中心とする中心導体保持部１２ｂの回動を規制する。すなわち、回動規制部１６ｄは、内部接触部１４ａを中心とするθ方向における、内部保持部１２ａの回動を規制できる。
【００４８】
上記構成によれば、位置決め部１７が、内部接触部１４ａの軸方向（Ｚ軸方向）と直交する２つの直交方向（Ｘ軸方向およびＹ軸方向）における内部保持部１２ａの位置決めを行うとともに、回動規制部１６ｄが、内部接触部１４ａを中心とする中心導体保持部１２ｂの回動を規制する。したがって、絶縁性部材１２を外部端子１６に対して正確に位置決めできる。すなわち、絶縁性部材１２の内部保持部１２ａ（内部端子１４の内部接触部１４ａ）を、外部端子１６の外部接触部１６ｂと同軸に配置できる。
【００４９】
〔変形例〕
図８から図１０を参照しながら、Ｌ型同軸コネクタ１０における絶縁性部材１２の位置決め構造の変形例を説明する。図８は、変形例に係るＬ型同軸コネクタ１０の平面図である。図９は、図８のＬ型同軸コネクタ１０に相手方コネクタ２０を嵌合させた同軸コネクタセット３０の底面図である。図１０は、図９のＸ−Ｘ線に沿った断面図である。
【００５０】
図１０に示すように、Ｌ型同軸コネクタ１０は、絶縁性部材１２の内部保持部１２ａの側に位置決め部１７を有する。内部保持部１２ａの外面部１２ｊには、位置決め部１７が配設されている。位置決め部１７は、外面部１２ｊから外部接触部１６ｂの内面部１６ｊに向けて、すなわち径方向外側に突出する凸部（例えば、半球状）である。位置決め部１７は、外部接触部１６ｂの内縁よりも、内面部１６ｊに向けてすなわち径方向外側に突出している。位置決め部１７は、軸方向すなわち挿抜方向（Ｚ軸方向）において、内部保持部１２ａの上部および下部の間に位置する。位置決め部１７は、外部接触部１６ｂの内面部１６ｊに当接するように構成されている。
【００５１】
図８に示すように、４つの位置決め部１７が、軸方向すなわち挿抜方向（Ｚ軸方向）から見て、中心導体接続部１４ｂと内部接触部１４ａとを結ぶ仮想中心線Ｏに対して略線対称に配置されている。また、４つの位置決め部１７が、周方向に均等に配置されることもできる。当該構成によれば、位置決め部１７によって電界や容量結合が不均一になることが防止されるので、高周波帯（例えば、メガヘルツ帯やギガヘルツ帯）での不要反射を低減できる。
【００５２】
位置決め部１７が、３つから構成されて、軸方向すなわち挿抜方向（Ｚ軸方向）から見て、仮想中心線Ｏに対して略線対称に配置されてもよい。この場合、１つの位置決め部１７が、仮想中心線Ｏ上であり且つ中心導体接続部１４ｂの反対側に位置するとともに、他の２つの位置決め部１７が、軸方向すなわち挿抜方向（Ｚ軸方向）から見て、仮想中心線Ｏに対して略線対称に配置される。さらに、３つの位置決め部１７のうち１つの位置決め部１７が、仮想中心線Ｏ上であり且つ中心導体接続部１４ｂの反対側に位置するとともに、軸方向すなわち挿抜方向（Ｚ軸方向）から見て、３つの位置決め部１７が正三角形をなすように位置することもできる。当該構成によれば、位置決め部１７によって電界や容量結合が不均一になることが防止されるので、高周波帯（例えば、メガヘルツ帯やギガヘルツ帯）での不要反射を低減できる。
【００５３】
また、位置決め部１７は、１つの円弧状の凸部が、中心導体接続部１４ｂの反対側に位置して、Ｘ軸方向およびＹ軸方向の位置決めを可能にする長さで延在するような態様とすることもできる。位置決め部１７は、例えば、約４５度から約３００度の角度で円弧状に延在するような態様とすることもできる。このように、位置決め部１７は、内部接触部１４ａの軸方向（Ｚ軸方向）と直交する２つの直交方向（Ｘ軸方向およびＹ軸方向）の位置決めを可能にするような態様であればよい。
【００５４】
内部保持部１２ａに配設された位置決め部１７により、内部接触部１４ａの軸方向（Ｚ軸方向）と直交する２つの直交方向（Ｘ軸方向およびＹ軸方向）における、内部保持部１２ａの位置決めを行うことができる。
【００５５】
図８および図１０に示すように、絶縁性部材１２が、パーティションライン１９に沿ってＹ軸方向に２分割可能に構成されている。パーティションライン１９は、仮想中心線Ｏ上に延びている。絶縁性部材１２には、内部端子１４を設置するための内部端子設置空間が設けられている。絶縁性部材１２は、略均等に分割された２つの絶縁部、すなわち一方の絶縁部１２ｓおよび他方の絶縁部１２ｔから構成されている。一方の絶縁部１２ｓおよび他方の絶縁部１２ｔは、それぞれ、機械的に嵌合するための嵌合構造（凸部および凹部）を有する。内部端子設置空間に内部端子１４を設置した状態で一方の絶縁部１２ｓおよび他方の絶縁部１２ｔをパーティションライン１９で接合すると、一方の絶縁部１２ｓおよび他方の絶縁部１２ｔが機械的に嵌合する。当該機械的な嵌合構造により、内部端子１４が、絶縁性部材１２と一体化される。
【００５６】
本開示の具体的な実施の形態について説明したが、本開示は、上記実施形態に限定されるものではなく、本開示の範囲内で種々変更して実施することができる。
【００５７】
本開示および実施形態をまとめると、次のようになる。
【００５８】
本開示の一態様に係るＬ型同軸コネクタ１０における絶縁性部材１２の位置決め構造は、
同軸ケーブル４０の中心導体４２と電気的に接続される中心導体接続部１４ｂと、同軸ケーブル４０の延在方向と直交する軸方向に延在する内部接触部１４ａとを有する内部端子１４と、
前記同軸ケーブル４０の外部導体４１と電気的に接続される外部導体接続部１６ａと、前記軸方向に延在するとともに前記内部接触部１４ａを囲繞する外部接触部１６ｂとを有する外部端子１６と、
前記中心導体接続部１４ｂを保持する中心導体保持部１２ｂと、前記内部接触部１４ａを保持するとともに前記外部接触部１６ｂで囲繞される内部保持部１２ａとを有して、前記内部端子１４および前記外部端子１６の間に配置される絶縁性部材１２とを備えるＬ型同軸コネクタ１０における絶縁性部材１２の位置決め構造であって、
前記内部保持部１２ａの外面部１２ｊと前記外部接触部１６ｂの内面部１６ｊとの間には、前記内部接触部１４ａの前記軸方向と直交する２つの直交方向における前記内部保持部１２ａの位置決めを行う位置決め部１７が設けられているとともに、
前記外部端子１６は、前記外部接触部１６ｂの反対側において、前記内部接触部１４ａを中心とする前記中心導体保持部１２ｂの回動を規制する回動規制部１６ｄを備えることを特徴とする。
【００５９】
上記構成によれば、位置決め部１７が、内部接触部１４ａの軸方向と直交する２つの直交方向における内部保持部１２ａの位置決めを行うとともに、回動規制部１６ｄが、内部接触部１４ａを中心とする中心導体保持部１２ｂの回動を規制する。したがって、絶縁性部材１２を外部端子１６に対して正確に位置決めできる。
【００６０】
また、一実施形態のＬ型同軸コネクタ１０における絶縁性部材１２の位置決め構造では、
前記位置決め部１７が、前記内部保持部１２ａの前記外面部１２ｊに向けて突出するとともに前記内部保持部１２ａの前記外面部１２ｊに当接するように、前記外部接触部１６ｂの前記内面部１６ｊに設けられている。
【００６１】
上記実施形態によれば、凸状の位置決め部１７が補強体として機能するので、外部端子１６の外部接触部１６ｂが変形しにくくなる。
【００６２】
また、一実施形態のＬ型同軸コネクタ１０における絶縁性部材１２の位置決め構造では、
前記位置決め部１７が、前記軸方向から見て、前記中心導体接続部１４ｂと前記内部接触部１４ａとを結ぶ仮想中心線Ｏに対して略線対称に配置されている。
【００６３】
上記実施形態によれば、位置決め部１７によって電界や容量結合が不均一になることが防止されるので、高周波帯（例えば、メガヘルツ帯やギガヘルツ帯）での不要反射を低減できる。
【００６４】
また、一実施形態のＬ型同軸コネクタ１０における絶縁性部材１２の位置決め構造では、
前記位置決め部１７が、周方向に均等に配置されている。
【００６５】
上記実施形態によれば、位置決め部１７によって電界や容量結合が不均一になることが防止されるので、高周波帯（例えば、メガヘルツ帯やギガヘルツ帯）での不要反射を低減できる。
【００６６】
また、一実施形態のＬ型同軸コネクタ１０における絶縁性部材１２の位置決め構造では、
前記外部端子１６が、前記外部接触部１６ｂと前記回動規制部１６ｄとの間において、前記中心導体保持部１２ｂの抜けを防止する抜け止め部１６ｅを有する。
【００６７】
上記実施形態によれば、抜け止め部１６ｅによって、絶縁性部材１２の中心導体保持部１２ｂが、軸方向に抜けることが防止され、絶縁性部材１２が外部端子１６に保持・固定される。
【００６８】
また、一実施形態のＬ型同軸コネクタ１０における絶縁性部材１２の位置決め構造では、
前記内部端子１４が、インサート成形によって、前記絶縁性部材１２と一体化されている。
【００６９】
上記実施形態によれば、絶縁性部材１２と内部端子１４との間の位置決めを、正確に行うことができる。
【００７０】
また、一実施形態のＬ型同軸コネクタ１０における絶縁性部材１２の位置決め構造では、
前記内部保持部１２ａが、前記外部接触部１６ｂに対して、前記軸方向に装着可能に構成されている。
【００７１】
上記実施形態によれば、軸方向に延びる複数のスリットによって複数のバネ片が外部端子の筒状部に形成される場合よりも、外部接触部１６ｂの変形が起こりにくいため、安定した嵌合が得られる。
【符号の説明】
【００７２】
１０…Ｌ型同軸コネクタ
１２…絶縁性部材
１２ａ…内部保持部
１２ｂ…中心導体保持部
１２ｅ…抜け止め凹部
１２ｊ…外面部
１２ｓ…一方の絶縁部
１２ｔ…他方の絶縁部
１４…内部端子
１４ａ…内部接触部
１４ｂ…中心導体接続部
１４ｓ…二股部
１６…外部端子
１６ａ…外部導体接続部
１６ｂ…外部接触部
１６ｃ…かしめ係合部
１６ｄ…回動規制部
１６ｅ…抜け止め部
１６ｇ…側方延在部
１６ｈ…嵌合凸部
１６ｊ…内面部
１７…位置決め部
１９…パーティションライン
２０…相手方コネクタ
２２…相手方絶縁性部材
２４…相手方内部端子
２４ａ…相手方内部接触部
２４ｂ…相手方内部実装部
２６…相手方外部端子
２６ａ…相手方外部実装部
２６ｂ…相手方外部接触部
２６ｈ…嵌合凹部
３０…同軸コネクタセット
４０…同軸ケーブル
４１…外部導体
４２…中心導体
Ｏ…仮想中心線
【図１】
2020129559.tif 000003
【図２】
2020129559.tif 000004
【図３】
2020129559.tif 000005
【図４】
2020129559.tif 000006
【図５】
2020129559.tif 000007
【図６】
2020129559.tif 000008
【図７】
2020129559.tif 000009
【図８】
2020129559.tif 000010
【図９】
2020129559.tif 000011
【図１０】
2020129559.tif 000012
【国際調査報告】
2020129559.tif 000013
2020129559.tif 000014
2020129559.tif 000015
2020129559.tif 000016